(57)【要約】      （修正有）【課題】光ディスクの回転時の振動によって、トラバースシャーシが前後方向にがたついて生じる異音を抑える光ディスク装置を提供する。【解決手段】トラバースシャーシ２２に固定され、ローダーシャーシ２１に回動可能に支持される回動部２９ａを有し、トラバースシャーシ２２をチャッキング位置とアンチャッキング位置との間で揺動可能にするトラバースホルダー２９と、トラバースホルダー２９又はローダーシャーシ２１の一方に設けられた第１付勢部２９ｄと、トラバースホルダー２９又はローダーシャーシ２１の他方に設けられた第１受け部２１ｄと、を備え、少なくともチャッキング位置において第１付勢部２９ｄと第１受け部２１ｄとが当接し、トラバースシャーシ２２を回動部２９aの軸方向と交差する方向であって光ディスク面に垂直な方向を除く方向に付勢する光ディスク装置。【選択図】図３
2015049912.tif 000002
【特許請求の範囲】
【請求項１】
光ピックアップユニットを搭載したトラバースシャーシと、
前記トラバースシャーシを収容するローダーシャーシと、
前記トラバースシャーシに固定され、前記ローダーシャーシに回動可能に支持される回動部を有し、前記トラバースシャーシをチャッキング位置とアンチャッキング位置との間で揺動可能にするトラバースホルダーと、
前記トラバースホルダー又は前記ローダーシャーシの一方に設けられた第１付勢部と、
前記トラバースホルダー又は前記ローダーシャーシの他方に設けられた第１受け部と、を備え、
少なくともチャッキング位置において第１付勢部と第１受け部とが当接し、前記トラバースシャーシを前記回動部の軸方向と交差する方向であって光ディスク面に垂直な方向を除く方向に付勢することを特徴とする光ディスク装置。
【請求項２】
第１付勢部が前記ローダーシャーシ又は前記トラバースホルダーに一体成形された樹脂バネであることを特徴とする請求項１記載の光ディスク装置。
【請求項３】
第１付勢部が前記トラバースホルダーの前記回動部近傍に設けられることを特徴とする請求項１又は２記載の光ディスク装置。
【請求項４】
前記交差する方向が直交する方向であることを特徴とする請求項１〜３の何れかに記載の光ディスク装置。
【請求項５】
第１付勢部は、前記トラバースホルダーから突出して前記軸方向に沿うように屈曲したＬ字型の部材であることを特徴とする請求項１〜４の何れかに記載の光ディスク装置。
【請求項６】
前記回動部の軸方向と直交する面に対し、第１付勢部及び第１受け部と面対称な第２付勢部及び第２受け部を備えたことを特徴とする請求項１〜５の何れかに記載の光ディスク装置。
【請求項７】
前記トラバースホルダー又は前記ローダーシャーシの一方に設けられた第３付勢部と、
前記トラバースホルダー又は前記ローダーシャーシの他方に設けられた第３受け部と、を備え、
少なくともチャッキング位置において第３付勢部と第３受け部とが当接し、前記トラバースシャーシを前記回動部の軸方向に付勢することを特徴とする請求項１〜６の何れかに記載の光ディスク装置。
【請求項８】
第３付勢部が前記ローダーシャーシ又は前記トラバースホルダーに一体成形された樹脂バネであることを特徴とする請求項７記載の光ディスク装置。
【請求項９】
第３付勢部が前記トラバースホルダーの光ディスク排出側近傍に設けられることを特徴とする請求項７又は８記載の光ディスク装置。
【請求項１０】
第３付勢部は、前記トラバースホルダーから突出して前記軸方向に直交する方向に屈曲したＬ字型の部材であることを特徴とする請求項７〜９の何れかに記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、様々な形態が提案されている。その形態の一つとして、メインシャーシと、光ディスクが載置されるトレイと、光ピックアップ及びターンテーブルが搭載されたトラバースシャーシと、トラバースシャーシを上下に揺動させるカムスライダーと、駆動モーターと、駆動モーターの駆動力をトレイのラック、カムスライダーのラックに伝達するギアとを有する光ディスク装置がある。
【０００３】
このような光ディスク装置において、光ディスクの回転時の振動で部品どうしが接触し、異音が発生することがあり、動作品位の悪化に繋がっている。そして、一般的な光ディスクの回転時の振動による不具合については様々な技術が提案されている。
【０００４】
例えば、特許文献１には、ターンテーブルや光ピックアップなどの部品を取付けたトラバースシャーシの正面側を挟み込む概略コ形のトラバースホルダーを取付けたトラバースユニットをフレームに装着したディスク装置において、上記トラバースホルダーの両側部に設けた支持アームにはリブを突出すると共に先端には軸部を外方向へ突出し、また側部の正面側基部にはガイドボスを外方向へ突出し、そしてフレームの側壁には前後方向に延びて正面側の高さ寸法を小さくした導入溝を形成し、該側壁には撓み変形可能な樹脂バネ部を一定の間隔をおいて平行に設け、上記トラバースホルダーの軸部を上記フレームの軸受け部に設けた導入溝に嵌めると共に支持アームに形成したリブを樹脂バネ部にて挟み込んだことを特徴とするトラバースユニットのガタツキ防止機構を備えたディスク装置が開示されている。
【先行技術文献】
【特許文献】
【０００５】
【特許文献１】特開２００６−１２７６５９号公報
【発明の概要】
【発明が解決しようとする課題】
【０００６】
しかしながら、特許文献１では正面からみて前後方向のがたつきを抑える構成は開示されていない。したがって、光ディスクの回転時の振動によってトラバースシャーシが前後方向にがたついて生じる異音を抑えることはできない。
【０００７】
本発明は、光ディスクの回転時の振動によって、トラバースシャーシが前後方向にがたついて生じる異音を抑える光ディスク装置を提供することを目的とする。
【課題を解決するための手段】
【０００８】
上記目的を達成するために本発明の光ディスク装置は、光ピックアップユニットを搭載したトラバースシャーシと、前記トラバースシャーシを収容するローダーシャーシと、前記トラバースシャーシに固定され、前記ローダーシャーシに回動可能に支持される回動部を有し、前記トラバースシャーシをチャッキング位置とアンチャッキング位置との間で揺動可能にするトラバースホルダーと、前記トラバースホルダー又は前記ローダーシャーシの一方に設けられた第１付勢部と、前記トラバースホルダー又は前記ローダーシャーシの他方に設けられた第１受け部と、を備え、少なくともチャッキング位置において第１付勢部と第１受け部とが当接し、前記トラバースシャーシを前記回動部の軸方向と交差する方向であって光ディスク面に垂直な方向を除く方向に付勢することを特徴とする。
【０００９】
この構成によれば、少なくとも光ディスクをチャッキングした状態では、第１付勢部が第１受け部を付勢するので、回動部の公差によって生じる前後方向のがたつきが抑えられる。その結果、光ディスクの回転時の振動によって、トラバースシャーシが前後方向にがたついて生じる異音（振動音）を抑えることができる。
【００１０】
上記の光ディスク装置において、第１付勢部が前記ローダーシャーシ又は前記トラバースホルダーに一体成形された樹脂バネであることが好ましい。一体成形することで、容易に安価に形成することができる。
【００１１】
また上記の光ディスク装置において、第１付勢部が前記トラバースホルダーの前記回動部近傍に設けられることが好ましい。前後方向のがたつきが生じる近傍を付勢することで効率よくがたつきを抑えることができる。
【００１２】
また上記の光ディスク装置において、前後方向のがたつきを効率良く抑える観点から、前記交差する方向は直交する方向であることが望ましい。
【００１３】
また上記の光ディスク装置において、具体的な形状として、第１付勢部は、前記トラバースホルダーから突出して前記軸方向に沿うように屈曲したＬ字型の部材とすることができる。
【００１４】
また上記の光ディスク装置において、前記回動部の軸方向と直交する面に対し、第１付勢部及び第１受け部と面対称な第２付勢部及び第２受け部を備えることが好ましい。付勢部及び受け部を増やすことでがたつきを抑える効果が増す。
【００１５】
また上記の光ディスク装置において、前記トラバースホルダー又は前記ローダーシャーシの一方に設けられた第３付勢部と、前記トラバースホルダー又は前記ローダーシャーシの他方に設けられた第３受け部と、を備え、少なくともチャッキング位置において第３付勢部と第３受け部とが当接し、前記トラバースシャーシを前記回動部の軸方向に付勢する構成としてもよい。
【００１６】
この構成によれば、少なくとも光ディスクをチャッキングした状態では、第３付勢部が第３受け部を付勢するので、左右方向のがたつきが抑えられる。その結果、光ディスクの回転時の振動によって、トラバースシャーシが左右方向にがたついて生じる異音（振動音）を抑えることができる。
【００１７】
また上記の光ディスク装置において、第３付勢部が前記ローダーシャーシ又は前記トラバースホルダーに一体成形された樹脂バネであることが好ましい。一体成形することで、容易に安価に形成することができる。
【００１８】
また上記の光ディスク装置において、第３付勢部が前記トラバースホルダーの光ディスク排出側近傍に設けられることが好ましい。左右方向のがたつきが生じる近傍を付勢することで効率よくがたつきを抑えることができる。
【００１９】
また上記の光ディスク装置において、具体的な形状として、第３付勢部は、前記トラバースホルダーから突出して前記軸方向に直交する方向に屈曲したＬ字型の部材とすることができる。
【発明の効果】
【００２０】
本発明によると、少なくとも光ディスクをチャッキングした状態では、第１付勢部が第１受け部を付勢するので、回動部の公差によって生じる前後方向のがたつきが抑えられる。その結果、光ディスクの回転時の振動によって、トラバースシャーシが前後方向にがたついて生じる異音（振動音）を抑えることができる。
【図面の簡単な説明】
【００２１】
【図１】本発明の一実施形態に係る光ディスク装置の外観を示す斜視図である。
【図２】本発明の一実施形態に係るドライブ装置の斜視図である。
【図３】本発明の一実施形態に係るドライブ装置の上面図である。
【図４】図３の部分Ａの拡大図である。
【図５】図３の部分Ｂの拡大図である。
【発明を実施するための形態】
【００２２】
以下、光ディスク装置を横置き（水平姿勢）に設置した状態、すなわち光ディスクのレーベル面が上向きで水平に収納、排出される状態を基準に説明する。光ディスクが排出される側を前側、前側に対面して右手を右側、前側に対面して左手を左側と定義する。また、光ディスクが排出・収納される方向を前後方向（Ｙ方向）、光ディスクのレーベル面と平行で前後方向に直交する方向を左右方向（Ｘ方向）、前後方向及び左右方向に直交する方向を上下方向（Ｚ方向）と定義する。また、Ｘ方向のうち、右方向を＋Ｘ方向、左方向を−Ｘ方向とし、Ｙ方向のうち、後方向を＋Ｙ方向、前方向を−Ｙ方向とし、Ｚ方向のうち、上方向を＋Ｚ方向、下方向を−Ｚ方向とする。
【００２３】
図１は、本発明の一実施形態の光ディスク装置の外観斜視図である。光ディスク装置１は、前面カバー１１と、外装カバー１２と、前面カバー１１及び外装カバー１２によって前側、右側、左側及び上側が覆われるボトムシャーシ（不図示）とを備えている。
【００２４】
前面カバー１１は、外装カバー１２及びボトムシャーシの前側に取り付けられ、各種ユーザーインターフェースを有している。例えば、前面カバー１１には、光ディスク搬送用の後述するトレイ５、トレイ５を開閉させる開閉ボタン１４、外部機器接続用の端子群１５、表示部としての表示管１６、操作部１７、電源ボタン１８などが配設されている。なお、操作部１７は、光ディスクを再生させる再生ボタン等からなる。
【００２５】
外装カバー１２は、ボトムシャーシの上側、右側及び左側を覆うコ字型の部材であり、ボトムシャーシにビス等で固定される。ボトムシャーシは、光ディスク装置１の各種部材を搭載する。搭載する部材は、光ディスク装置１の各部を制御する制御部、後述するドライブ装置などである。
【００２６】
次に、光ディスク装置１に搭載されるドライブ装置について説明する。図２は光ディスク装置１に搭載されるドライブ装置の構成を示す斜視図、図３はドライブ装置（トレイは不図示）の上面図、図４は図３の部分Ａの拡大図、図５は図３の部分Ｂの拡大図である。
【００２７】
ドライブ装置２０は、ドライブ装置２０の各部材を収容するローダーシャーシ２１と、光ディスクを載置して搬送するトレイ５と、光ディスクの搬送方向（前後方向（Ｙ方向））に略垂直な方向（上下方向（Ｚ方向））に揺動（旋回）して昇降可能なトラバースアッシー２２と、左右方向（Ｘ方向）に移動してトラバースアッシー２２を昇降（上下動）させるカムスライダー２３と、駆動モーター６と、駆動モーター６の駆動力をトレイ５、カムスライダー２３にそれぞれ伝達する駆動力伝達歯車機構２４と、光ディスクをレーベル面側からチャッキングするクランパー（不図示）と、を備えている。
【００２８】
ローダーシャーシ２１は、平面視略四角形の筐体であり、例えば樹脂の一体成形品である。ローダーシャーシ２１は、その中央付近から後端にかけてトラバースアッシー２２を収容している。また、ローダーシャーシ２１は、前部（トラバースアッシー２２の前側）にカムスライダー２３を収容している。
【００２９】
また、ローダーシャーシ２１には、後述するトラバースホルダー２９のボス２９ｃの先端を係合して案内する溝（不図示）が形成されている。この溝はローダーシャーシ２１の内底面から上方へ向かって形成されている。
【００３０】
また、ローダーシャーシ２１には、後述する第１及び第２回動部２９ａ、２９ｂを挿嵌することで回動可能に支持する第１及び第２回動部受け部２１ａ、２１ｂが形成されている。第１及び第２回動部受け部２１ａ、２１ｂは、第１及び第２回動部２９ａ、２９ｂに向かって開口した孔とすることができる。
【００３１】
また、ローダーシャーシ２１には、少なくともチャッキング位置において後述する第１〜第３付勢部２９ｄ〜２９ｆとそれぞれ当接する第１〜第３受け部２１ｄ〜２１ｆが形成されている。第１及び第２受け部２１ｄ、２１ｅは、第１及び第２回動部受け部２１ａ、２１ｂの外側から第１及び第２付勢部２９ｄ、２９ｅ側へそれぞれ突出した突起である。第３受け部２１ｆは、ローダーシャーシ２１の左側の内壁から第３付勢部２９ｆ側へ突出した突起である。なお、第１〜第３受け部２１ｄ〜２１ｆは、下部に行くほど突出量が大きくなるテーパー形状としてもよい。
【００３２】
トレイ５は、ラック５Ａを有し、排出位置と収納位置の間を移動するものである。ラック５Ａは、トレイ５の下面右側部に沿って形成され、駆動力伝達歯車機構２４の１つのギアに噛合している。これにより、駆動モーター６の駆動によってトレイ５が前後方向（Ｙ方向）に移動する。
【００３３】
トラバースアッシー２２は、トラバースシャーシ２５と、ＯＰＵ（光ピックアップユニット）４と、ＯＰＵ４駆動用のステッピングモーター２６と、２本のガイドシャフト２７と、トラバースシャーシ２５に固定された光ディスク回転用のスピンドルモーター１９と、ターンテーブル２８と、トラバースホルダー２９とを備えている。トラバースアッシー２２はカムスライダー２３の移動によってチャッキング位置とアンチャッキング位置との間で昇降（揺動）される。
【００３４】
トラバースシャーシ２５は各部材を載せるための部材であり、例えば板金部材である。トラバースシャーシ２５の前端２点で係止手段３０によりトラバースホルダー２９に係止され、トラバースシャーシ２５の後端２点で係止手段３１によりローダーシャーシ２１に係止されている。係止手段３０、３１は、ゴム製のＯリング及びビスである。
【００３５】
ステッピングモーター２６の軸にはリードスクリューが固定され、リードスクリューにＯＰＵ４から延出したティースが噛合している。そして、リードスクリューの回転に追従してティースが送り移動されることでＯＰＵ４が移動する。
【００３６】
ガイドシャフト２７は、トラバースシャーシ２５に固定され、ＯＰＵ４を光ディスク１５の径方向（前後方向）に移動可能に支持する。ガイドシャフト２７は、例えば金属棒であり、その前端付近と後端付近とがトラバースシャーシ２５に固定され、ＯＰＵ４を挿通して摺動可能に保持している。
【００３７】
ターンテーブル２８は、光ディスクを載置した状態で上昇することで、クランパーとによって光ディスクを挟持する部材であり、スピンドルモーター１９の回転軸に挿嵌されることで固定されている。
【００３８】
トラバースホルダー２９は、トラバースシャーシ２５に固定され、ローダーシャーシ２１に回動可能に支持される第１及び第２回動部２９ａ、２９ｂを有し、トラバースシャーシ２５をチャッキング位置とアンチャッキング位置との間で揺動可能にしている。トラバースホルダー２９の詳細な構造については後述する。
【００３９】
カムスライダー２３は、ＰＯＭ（polyoxymethylene）等を射出成形等して形成され、ラック２３Ａと、カム溝とを有し、左右方向（Ｘ方向）に移動可能にローダーシャーシ２１に取り付けられている。ラック２３Ａはカムスライダー２３の上面右部にあり、左右方向に形成され、ラック２３Ａが駆動力伝達歯車機構２４の１つのギアに噛合可能となっている。カム溝は、貫通孔でありスリットであり、正面視で水平に延びた高さの異なる２本の溝とそれらを繋ぐ斜めの溝とで構成される。カム溝は、トラバースホルダー２９のボス２９ｃに係合し、ボス２９ｃを案内する。
【００４０】
このような構成により、カムスライダー２３のラック部が駆動力伝達歯車機構２４に噛合すると、駆動モーター６の駆動によってカムスライダー２３が左右方向に移動し、カム溝に沿ってボス２９ｃが移動する。ボス２９ｃは上下に移動することになるので、つまりトラバースアッシー２２が上下動することになる。カムスライダー２３は、トレイ５を駆動するのと同じ駆動モーター６によって駆動されるので、トレイ５の動作に連動してトラバースアッシー２２をチャッキング位置とアンチャッキング位置との間で揺動させる。
【００４１】
駆動力伝達歯車機構２４は、複数のギアが順に噛合して構成される。右端のギアがトレイ５のラック５Ａに噛合して駆動モーター６の駆動力をラック５Ａに伝達する。このギアと同軸のギアがカムスライダー２３のラック２３Ａに噛合して駆動モーター６の駆動力をラック２３Ａに伝達する。よって、１つの駆動モーター６でトレイ５とトラバースアッシー２２を駆動する。すなわち、光ディスクの搬送、チャッキング、アンチャッキングを行うことができる。
【００４２】
引き出された状態のトレイ５に光ディスクが載置されると、駆動モーター６の駆動によりトレイ５が光ディスク装置１内に搬送される。トレイ５が所定位置に配されると、トレイ５への駆動モーター６の駆動力の伝達が解除されてトレイ５が停止し、駆動モーター６の駆動によりカムスライダー２３が移動し、トラバースアッシー２２を上昇させる。これにより、トラバースアッシー２２が光ディスクに係合し、光ディスクがチャックされる。
【００４３】
光ディスクがチャックされると、カムスライダー２３への駆動モーター６の駆動力伝達が解除されてカムスライダー２３及びトラバースアッシー２２が停止する。続いてステッピングモーター２６の駆動によりＯＰＵ４が所定位置に移動し、光ディスクに対して記録又は再生を行う。また、光ディスクを取り出す際には上記と逆の動作が行われる。
【００４４】
ここで、光ディスクの回転による振動によって発生する部材のがたつきは、第１及び第２回動部２９ａ、２９ｂと第１及び第２回動部受け部２１ａ、２１ｂとの公差（遊び）によって前後方向（Ｙ方向）に、ボス２９ｃとカム溝との公差によって左右方向（Ｘ方向）に生じる。そこで、このがたつきへの対策を施したトラバースホルダー２９の構造について詳しく説明する。
【００４５】
トラバースホルダー２９は、トラバースシャーシ２５の前面と側面の前面付近と下面の前面付近とを覆ってトラバースシャーシ２５を支持するとともに上下動する平面視略Ｕ字型の部材である。トラバースホルダー２９は、ＰＯＭ等を射出成形等して形成される。トラバースホルダー２９は、第１及び第２回動部２９ａ、２９ｂと、ボス２９ｃと、第１〜第３付勢部２９ｄ〜２９ｆとを備えている。
【００４６】
第１及び第２回動部２９ａ、２９ｂは、トラバースホルダー２９の左右の端部からそれぞれ外側に向かって突出した円柱状の回動軸であり、その軸方向と直交する面（Ｙ−Ｚ面）に対して面対称である。そして、第１及び第２回動部２９ａ、２９ｂは、第１及び第２回動部受け部２１ａ、２１ｂにそれぞれ挿嵌されて回動可能に支持され、トラバースアッシー２２が昇降するときの回動軸となる。
【００４７】
なお、第１及び第２回動部２９ａ、２９ｂは、回動軸を軸支する第１及び第２回動部受け部２１ａ、２１ｂのような受け部であってもよい。この場合、ローダーシャーシ２１に第１及び第２回動部２９ａ、２９ｂのような回動軸を設ける。
【００４８】
ボス２９ｃは、トラバースホルダー２９前面に形成された平板状の突出部であり、カムスライダー２３側（前面側）に突出している。ボス２９ｃは、カム溝を貫通し、上述したローダーシャーシ２１の溝に係合する長さであればよい。ボス２９ｃの先端がローダーシャーシ２１の縦に嵌まることで公差分のがたつきを有してＸ方向に規制される。
【００４９】
第１及び第２付勢部２９ｄ、２９ｅは、少なくともチャッキング位置において第１及び第２受け部２１ｄ、２１ｅとそれぞれ当接する。当接することにより、第１及び第２付勢部２９ｄ、２９ｅは、トラバースシャーシ２１を第１及び第２回動部２９ａ、２９ｂの軸方向と交差する方向であって光ディスク面に垂直な方向を除く方向に付勢する。
【００５０】
この第１及び第２回動部２９ａ、２９ｂの軸方向と交差する方向であって光ディスク面に垂直な方向を除く方向とは、Ｘ方向に交差する方向であってＺ方向を除く方向である。つまり、Ｘ方向とＺ方向とを除く方向である。よって、必ずＹ方向成分を含む方向である。
【００５１】
本実施形態では、上記の交差する方向が直交する方向となっている。これにより、トラバースシャーシ２１を第１及び第２回動部２９ａ、２９ｂの軸方向と交差（直交）する方向であって光ディスク１５面に垂直な方向を除く方向とは、Ｙ−Ｚ面方向であってＺ方向を除く方向となる。
【００５２】
本実施形態で第１及び第２付勢部２９ｄ、２９ｅは、トラバースホルダー２９に一体成形された樹脂バネである。図４に示すように、第１及び第２付勢部２９ｄ、２９ｅは、第１及び第２回動部２９ａ、２９ｂの後ろ側から突出して第１及び第２回動部２９ａ、２９ｂの軸方向に沿うように略直角に屈曲したＬ字型の部材である。なお、第１及び第２付勢部２９ｄ、２９ｅの配置場所は、第１及び第２回動部２９ａ、２９ｂの後ろ側に限らないが、第１及び第２回動部２９ａ、２９ｂの近傍に設けることが好ましい。がたつきが生じる近傍を付勢することで効率よくがたつきを抑えることができる。
【００５３】
そして、第２付勢部２９ｅ及び第２受け部２１ｅは、第１及び第２回動部２９ａ、２９ｂの軸方向と直交する面（Ｙ−Ｚ面）に対し、第１付勢部２９ｄ及び第１受け部２１ｄと面対称に設けられる。
【００５４】
このような構成により、少なくとも光ディスクをチャッキングした状態では、第１及び第２付勢部２９ｄ、２９ｅが第１及び第２受け部２１ｄ、２１ｅを少なくともＹ方向を含む方向に付勢する。この付勢力により、第１及び第２回動部２９ａ、２９ｂと第１及び第２回動部受け部２１ａ、２１ｂとの公差によって生じる前後方向（Ｙ方向）のがたつきが抑えられる。その結果、光ディスクの回転時の振動によって、トラバースシャーシ２２が前後方向にがたついて生じる異音（振動音）を抑えることができる。
【００５５】
なお、第１及び第２受け部２１ｄ、２１ｅが上述したようなテーパー形状となっている場合、チャッキング位置において第１及び第２付勢部２９ｄ、２９ｅは第１及び第２受け部２１ｄ、２１ｅに当接し、アンチャッキング位置において当接しない。アンチャッキング位置では当接しないことで、小さな力でトラバースアッシー２２を上下動させることができる。
【００５６】
また、第１付勢部２９ｄと第１受け部２１ｄの組、第２付勢部２９ｅと第２受け部２１ｅの組は少なくともどちらか一方を設ければＹ方向のがたつきを抑える効果は得られ、２組設けることでその効果が増す。
【００５７】
また、第１付勢部２９ｄをローダーシャーシ２１に設け、第１受け部２１ｄをトラバースホルダー２９に設けてもよい。また、第２付勢部２９ｅをローダーシャーシ２１に設け、第２受け部２１ｅをトラバースホルダー２９に設けてもよい。
【００５８】
次に、第３付勢部２９ｆは、少なくともチャッキング位置において第３受け部２１ｆと当接する。当接することにより、第３付勢部２９ｆは、トラバースシャーシ２１を第１及び第２回動部２９ａ、２９ｂの軸方向（Ｘ方向）に付勢する。
【００５９】
本実施形態で第３付勢部２９ｆは、トラバースホルダー２９に一体成形された樹脂バネである。図５に示すように、第３付勢部２９ｆは、トラバースホルダー２９の左側面の前端から突出して第１及び第２回動部２９ａ、２９ｂの軸方向に直交する方向（Ｙ方向）に屈曲したＬ字型の部材である。なお、第３付勢部２９ｆの配置場所は、トラバースホルダー２９の左側面の前端に限らないが、光ディスク排出側（前側）近傍に設けることが好ましい。がたつきが生じる近傍を付勢することで効率よくがたつきを抑えることができる。
【００６０】
このような構成により、少なくとも光ディスクをチャッキングした状態では、第３付勢部２９ｆが第３受け部２１ｆをＸ方向に付勢する。この付勢力により、ボス２９ｃとカム溝との公差によって生じる左右方向（Ｘ方向）のがたつきが抑えられる。その結果、光ディスクの回転時の振動によって、トラバースシャーシ２２が左右方向にがたついて生じる異音（振動音）を抑えることができる。
【００６１】
なお、第３受け部２１ｆが上述したようなテーパー形状となっている場合、チャッキング位置において第３付勢部２９ｆは第３受け部２１ｆに当接し、アンチャッキング位置において当接しない。アンチャッキング位置では当接しないことで、小さな力でトラバースアッシー２２を上下動させることができる。
【００６２】
また、第３付勢部２９ｆをローダーシャーシ２１に設け、第３受け部２１ｆをトラバースホルダー２９に設けてもよい。
【００６３】
なお、第３付勢部２９ｆ及び第３受け部２１ｆの組は１組だけでよい。なぜなら、カムスライダー２３のカム溝から突出したトラバースホルダー２９のボス２９ｃの先端がローダーシャーシ２１に形成された縦溝に嵌まるようになっており、予めＸ方向に規制されているからである。
【００６４】
なお、光ディスクの回転時の振動によって、トラバースシャーシ２２が上下方向（Ｚ方向）にがたつくことはほとんどない。なぜなら、係止手段３１のダンパー効果とトラバースアッシー２２の自重とによって吸収されるからである。よって、Ｚ方向に付勢する付勢部は不要である。
【００６５】
なお、上記の実施形態では、光ディスク装置を横置き（水平姿勢）に設置した状態について説明したが、本発明の光ディスク装置は縦置きに設置することもできる。
【００６６】
また、上記の実施形態では、光ディスク装置の一形態としてトレイ方式を例に説明したが、本発明はスロットイン方式など、他の方式の光ディスク装置にも適用できる。また、上述した各形態は可能な範囲で組み合わせて実施することもできる。
【００６７】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００６８】
１  光ディスク装置
４  ＯＰＵ（光ピックアップユニット）
２１  ローダーシャーシ
２１ｄ  第１受け部
２１ｅ  第２受け部
２１ｆ  第３受け部
２２  トラバースシャーシ
２３  カムスライダー
２９  トラバースホルダー
２９ａ  第１回動部
２９ｂ  第２回動部
２９ｄ  第１付勢部
２９ｅ  第２付勢部
２９ｆ  第３付勢部
【図１】
2015049912.tif 000003
【図２】
2015049912.tif 000004
【図３】
2015049912.tif 000005
【図４】
2015049912.tif 000006
【図５】
2015049912.tif 000007